(57)【特許請求の範囲】
【請求項１】
移動局装置、第１の個人情報管理装置、および第２の個人情報管理装置を有する個人情報管理システムであって、
前記第１の個人情報管理装置は、
個人情報外部保管モード信号、個人情報、およびユーザ識別情報を前記移動局装置から受信する受信手段と、
あらかじめ登録されたユーザごとの記憶領域を備え、前記ユーザ識別情報に対応する記憶領域に前記個人情報を記憶する記憶手段と、
前記記憶領域に前記個人情報が記憶された場合は個人情報外部保管成功信号を発生させる一方、前記ユーザ識別情報に対応する記憶領域が前記記憶手段にない場合はユーザ識別情報再送指令を発生させる制御手段と、を有し、
前記第２の個人情報管理装置は、
個人情報外部保管モード信号、個人情報、およびユーザ識別情報を前記第１の個人情報管理装置から受信する受信手段と、
あらかじめ登録されたユーザごとの記憶領域を備え、前記ユーザ識別情報に対応する記憶領域に前記個人情報を記憶する記憶手段と、
前記記憶領域に前記個人情報が記憶された場合は個人情報外部保管成功信号を発生させる一方、前記ユーザ識別情報に対応する記憶領域が前記記憶手段にない場合はユーザ識別情報再送指令を発生させる制御手段と、を有し、
前記第１の個人情報管理装置は、
自装置の前記制御手段および前記第２の個人情報管理装置の前記制御手段がいずれも個人情報外部保管成功信号を発生させた場合に、この個人情報外部保管成功信号を前記移動局装置へ送信する送信手段、をさらに有することを特徴とする個人情報管理システム。
【請求項２】
前記第１の個人情報管理装置は、
自装置の前記制御手段が個人情報外部保管成功信号を発生させ、かつ、前記第２の個人情報管理装置の前記制御手段がユーザ識別情報再送指令を発生させた場合に、前記個人情報および前記ユーザ識別情報を前記第２の個人情報管理装置へ再送する第２の送信手段、をさらに有することを特徴とする請求項１記載の個人情報管理システム。
【請求項３】
前記第１の個人情報管理装置は、
自装置の前記制御手段がユーザ識別情報再送指令を発生させた場合に、このユーザ識別情報再送指令を前記移動局装置へ送信する第３の送信手段、をさらに有することを特徴とする請求項１記載の個人情報管理システム。
【請求項４】
請求項１から請求項３のいずれかに記載の個人情報管理システムにおいて用いられる基地局装置であって、前記第１の個人情報管理装置を有することを特徴とする基地局装置。
【請求項５】
請求項１から請求項３のいずれかに記載の個人情報管理システムにおいて用いられる制御局装置であって、前記第２の個人情報管理装置を有することを特徴とする制御局装置。
【発明の詳細な説明】
【０００１】
【発明の属する技術分野】
本発明は、移動体通信における個人情報管理システムに関する。
【０００２】
【従来の技術】
従来の移動体通信においては、携帯電話装置によって、電話番号帳、電子メールアドレス、発着信音などの個人情報が記憶され、個々のユーザがそれらを管理しているものがある。
【０００３】
このような管理の方法としては、例えば特開平５−２５９９２９号公報（無線受信機及びその動作パラメータを適応的に制御する方法）に開示されたものが挙げられる。この管理方法においては、第１のエラー基準が所定のエラー基準を超えるとき特定の受信モードを受信するようにして、無線受信機の相互変調ひずみを適応的に制御できるようにして、その動作特性を改善する。
【０００４】
【発明が解決しようとする課題】
しかしながら、携帯電話装置は、商品として、また機械として寿命が短い（１，２年程度）ため、頻繁に買い替えるユーザが多く、買い替えるたびに個人情報を装置に手動で記憶し、又は専用のデータ書き換え装置を用いて装置に記憶させるなどの手段を用いなければならないため、非常に手間がかかることがある。また、個人情報を専用データ書き換え装置を用いて書き込む際に、誤って情報を欠落させてしまうことも少なくない。
【０００５】
本発明はかかる点に鑑みてなされたものであり、個人情報の保守管理により携帯電話装置の買い替えなどに伴う個人情報を、データの欠落なしに、容易に移動する個人情報管理システムを提供することを目的とする。
【０００６】
【課題を解決するための手段】
本発明の個人情報管理システムは、移動局装置、第１の個人情報管理装置、および第２の個人情報管理装置を有する個人情報管理システムであって、前記第１の個人情報管理装置は、個人情報外部保管モード信号、個人情報、およびユーザ識別情報を前記移動局装置から受信する受信手段と、あらかじめ登録されたユーザごとの記憶領域を備え、前記ユーザ識別情報に対応する記憶領域に前記個人情報を記憶する記憶手段と、前記記憶領域に前記個人情報が記憶された場合は個人情報外部保管成功信号を発生させる一方、前記ユーザ識別情報に対応する記憶領域が前記記憶手段にない場合はユーザ識別情報再送指令を発生させる制御手段と、を有し、前記第２の個人情報管理装置は、個人情報外部保管モード信号、個人情報、およびユーザ識別情報を前記第１の個人情報管理装置から受信する受信手段と、あらかじめ登録されたユーザごとの記憶領域を備え、前記ユーザ識別情報に対応する記憶領域に前記個人情報を記憶する記憶手段と、前記記憶領域に前記個人情報が記憶された場合は個人情報外部保管成功信号を発生させる一方、前記ユーザ識別情報に対応する記憶領域が前記記憶手段にない場合はユーザ識別情報再送指令を発生させる制御手段と、を有し、前記第１の個人情報管理装置は、自装置の前記制御手段および前記第２の個人情報管理装置の前記制御手段がいずれも個人情報外部保管成功信号を発生させた場合に、この個人情報外部保管成功信号を前記移動局装置へ送信する送信手段、をさらに有する構成を採る。
【０００７】
本発明の個人情報管理システムは、前記第１の個人情報管理装置は、自装置の前記制御手段が個人情報外部保管成功信号を発生させ、かつ、前記第２の個人情報管理装置の前記制御手段がユーザ識別情報再送指令を発生させた場合に、前記個人情報および前記ユーザ識別情報を前記第２の個人情報管理装置へ再送する第２の送信手段、をさらに有する構成を採る。
【０００８】
本発明の個人情報管理システムは、前記第１の個人情報管理装置は、自装置の前記制御手段がユーザ識別情報再送指令を発生させた場合に、このユーザ識別情報再送指令を前記移動局装置へ送信する第３の送信手段、をさらに有する構成を採る。
【００１０】
本発明の基地局装置は、上記のいずれかに記載の個人情報管理システムにおいて用いられる基地局装置であって、前記第１の個人情報管理装置を有する構成を採る。
【００１１】
本発明の制御局装置は、上記のいずれかに記載の個人情報管理システムにおいて用いられる制御局装置であって、前記第２の個人情報管理装置を有する構成を採る。
【００３２】
【発明の実施の形態】
本発明の骨子は、移動局装置に記憶されている個人情報を基地局装置又は制御局装置に一時的に記憶させ、保守管理させることによって、移動局装置の買い替えなどに伴う個人情報を、データの欠落なしに、容易に移動することである。
【００３３】
（実施の形態１）
本発明の実施の形態１における個人情報管理システムについて説明する。図１は実施の形態１における個人情報管理システムの構成を示すブロック図である。
【００３４】
図１の個人情報管理システムは、移動局装置１００及び基地局装置２００から構成されている。
【００３５】
移動局装置１００は、ユーザと情報のやり取りを行うユーザインタフェース１１０と、基地局装置２００との間でアンテナ１５０を介して通信を行う送受信部１２０と、個人情報及び自己のユーザ識別番号を記憶するメモリ１３０（記憶手段）と、上記の各部の動作を制御する制御部１４０（制御手段）とから構成されている。
【００３６】
一方、基地局装置２００は、移動局装置１００との間でアンテナ２１０を介して通信を行う送受信部２２０と、あらかじめ登録されたユーザのユーザ識別番号と同じ番号を有するメモリ領域を備え、個人情報をユーザ識別番号と対応付けして記憶するメモリ２３０（記憶手段）と、上記の各部の動作を制御する制御部２４０（制御手段）とから構成されている。
【００３７】
次いで、上記の構成を有する個人情報管理システムについて、ユーザが個人情報を記憶させる場合とユーザが個人情報を呼び出す場合とに分けて、その動作を説明する。
【００３８】
ユーザが個人情報を記憶させる場合、まず、ユーザはキーなどのユーザインタフェース１１０を用いて「個人情報を記憶させる」に相当する操作（個人情報外部保管モード）を行う。そして、制御部１４０は、「個人情報を記憶させる」に相当する信号を発生させると共に、あらかじめ記憶されている個人情報と自己のユーザ識別番号とをメモリ１３０から読み出し、送受信部１２０に「個人情報を記憶させる」に相当する信号と個人情報及び自己のユーザ識別番号とに対して符号化など所定の無線処理を行わせた上で、基地局装置２００へ送信させる。
【００３９】
送信された信号は、基地局装置２００のアンテナ２１０を介して、送受信部２２０により受信され、復号化など所定の無線処理が行われる。制御部２４０は、受信された信号が「個人情報を記憶させる」に相当する信号を含むものであることを認識すると、受信された信号から個人情報とユーザ識別番号を取得し、取得されたユーザ識別番号と同じ番号を持つメモリ領域をメモリ２３０内から検出し、当該メモリ領域に個人情報を記憶させる。
【００４０】
制御部２４０は、個人情報をメモリ２３０に正常に記憶させることができると、「記憶成功」に相当する信号（個人情報外部保管成功信号）を発生させ、送受信部２２０において符号化など所定の無線処理を行わせた上で、移動局装置１００へ送信させる。
【００４１】
また、制御部２４０は、取得されたユーザ識別番号と同じ番号を持つメモリ領域をメモリ２３０内から検出できない場合は、「ユーザ識別番号の再送」に相当する信号（ユーザ識別情報再送指令）を発生させ、送受信部２２０において符号化など所定の無線処理を行わせた上で、移動局装置１００へ送信させる。
【００４２】
基地局装置２００の送受信部２２０から送信された「記憶成功」又は「ユーザ識別番号の再送」に相当する信号は、移動局装置１００のアンテナ１５０を介して、送受信部１２０によって受信され、復号化など所定の無線処理が行われる。制御部１４０は、受信された信号が「記憶成功」に相当する信号であることを認識すると、ディスプレイやスピーカなどのユーザインタフェース１１０を介して、ユーザに個人情報を正常に記憶できたことを報知する。
【００４３】
また、制御部１４０は、受信された信号が「ユーザ識別番号の再送」に相当する信号であることを認識すると、メモリ１３０から再度個人情報と自己のユーザ識別番号とを読み出し、送受信部１２０から送信させる。以後、移動局装置１００が「記憶成功」に相当する信号を受信するまで、上記の動作を繰り返す。
【００４４】
ユーザが個人情報を呼び出す場合、まず、ユーザはキーなどのユーザインタフェース１１０を用いて「個人情報を送信させる」に相当する操作を行う。そして、制御部１４０は、「個人情報を送信させる」に相当する信号を発生させると共に、あらかじめ記憶されている自己のユーザ識別番号をメモリ１３０から読み出し、送受信部１２０に「個人情報を送信させる」に相当する信号と自己のユーザ識別番号とに対して符号化など所定の無線処理を行わせた上で、基地局装置２００へ送信させる。
【００４５】
送信された信号は、基地局装置２００のアンテナ２１０を介して、送受信部２２０により受信され、復号化など所定の無線処理が行われる。制御部２４０は、受信された信号が「個人情報を送信させる」に相当する信号を含むものであることを認識すると、受信された信号からユーザ識別番号を取得し、取得されたユーザ識別番号と同じ番号を持つメモリ領域をメモリ２３０内から検出し、当該メモリ領域から個人情報を読み出す。制御部２４０は、読み出した個人情報に対して送受信部２２０において符号化など所定の無線処理を行わせた上で、移動局装置１００へ送信させる。
【００４６】
また、制御部２４０は、取得されたユーザ識別番号と同じ番号を持つメモリ領域をメモリ２３０内から検出できない場合は、「ユーザ識別番号の再送」に相当する信号を発生させ、送受信部２２０において符号化など所定の無線処理を行わせた上で、移動局装置１００へ送信させる。
【００４７】
基地局装置２００の送受信部２２０から送信された個人情報信号又は「ユーザ識別番号の再送」に相当する信号は、移動局装置１００のアンテナ１５０を介して、送受信部１２０によって受信され、復号化など所定の無線処理が行われる。制御部１４０は、受信された信号が個人情報信号であることを認識すると、メモリ１３０に記憶させ、ディスプレイやスピーカなどのユーザインタフェース１１０を介して、ユーザに個人情報を正常に受信して記憶できたことを報知する。
【００４８】
また、制御部１４０は、受信された信号が「ユーザ識別番号の再送」に相当する信号であることを認識すると、メモリ１３０から自己のユーザ識別番号を読み出し、「個人情報を送信させる」に相当する信号と共に送受信部１２０から送信させる。以後、移動局装置１００が個人情報信号を受信するまで、上記の動作を繰り返す。
【００４９】
このように、本実施の形態の個人情報管理システムによれば、ユーザは自分の携帯端末に記憶されている電話番号及びメールアドレスなどの個人情報を、一時的に基地局に記憶させておくことができるため、携帯端末の買い替えなどに伴う個人情報の移動を確実に、かつ容易に行うことができる。
【００５０】
（実施の形態２）
本発明の実施の形態２における個人情報管理システムについて説明する。実施の形態２の特徴は、移動局装置から送信された個人情報を制御局装置に記憶させる点である。図２は実施の形態２における個人情報管理システムの構成を示すブロック図である。なお、図２に示す個人情報管理システムにおいて、図１に示す個人情報管理システムと同じ部分には同じ符号を付して、その説明を省略する。
【００５１】
図２の個人情報管理システムは、移動局装置１００、基地局装置２００ａ、及び制御局装置３００から構成されている。
【００５２】
基地局装置２００ａは、移動局装置１００との間でアンテナ２１０を介して通信を行う送受信部２２０と、送受信部２２０によって送受信される信号を制御局装置３００との間で有線伝送する外部インタフェース２５０と、上記の各部の動作を制御する制御部２４０ａとから構成されている。
【００５３】
また、制御局装置３００は、基地局装置２００ａとの間で有線伝送を行う外部インタフェース３１０と、あらかじめ登録されたユーザのユーザ識別番号と同じ番号を有するメモリ領域を備え、個人情報をユーザ識別番号と対応付けして記憶するメモリ３２０と、上記の各部の動作を制御する制御部３３０とから構成されている。
【００５４】
次いで、上記の構成を有する個人情報管理システムについて、ユーザが個人情報を記憶させる場合とユーザが個人情報を呼び出す場合とに分けて、その動作を説明する。
【００５５】
ユーザが個人情報を記憶させる場合、まず、ユーザはキーなどのユーザインタフェース１１０を用いて「個人情報を記憶させる」に相当する操作を行う。そして、制御部１４０は、「個人情報を記憶させる」に相当する信号を発生させると共に、あらかじめ記憶されている個人情報と自己のユーザ識別番号とをメモリ１３０から読み出し、送受信部１２０に「個人情報を記憶させる」に相当する信号と個人情報及び自己のユーザ識別番号とに対して符号化など所定の無線処理を行わせた上で送信させる。
【００５６】
送信された信号は、基地局装置２００ａのアンテナ２１０を介して、送受信部２２０により受信され、復号化など所定の無線処理が行われる。制御部２４０ａは、送受信部２２０によって信号が受信されたことを認識すると、所定の無線処理後の信号を外部インタフェース２５０に出力させ、外部インタフェース２５０から制御局装置３００へ有線伝送させる。
【００５７】
有線伝送された信号は、制御局装置３００の外部インタフェース３１０によって受信される。制御部３３０は、受信された信号が「個人情報を記憶させる」に相当する信号を含むものであることを認識すると、受信された信号から個人情報とユーザ識別番号を取得し、取得されたユーザ識別番号と同じ番号を持つメモリ領域をメモリ３２０内から検出し、当該メモリ領域に個人情報を記憶させる。
【００５８】
制御部３３０は、個人情報をメモリ３２０に正常に記憶させることができると、「記憶成功」に相当する信号を発生させ、外部インタフェース３１０から基地局装置２００ａへ有線伝送させる。
【００５９】
また、制御部３３０は、取得されたユーザ識別番号と同じ番号を持つメモリ領域をメモリ３２０内から検出できない場合は、「ユーザ識別番号の再送」に相当する信号を発生させ、外部インタフェース３１０から基地局装置２００ａへ有線伝送させる。
【００６０】
制御局装置３００の外部インタフェース３１０から有線伝送された「記憶成功」又は「ユーザ識別番号の再送」に相当する信号は、基地局装置２００ａの外部インタフェース２５０によって受信される。制御部２４０ａは、外部インタフェース２５０によって信号が受信されたことを認識すると、当該信号を送受信部２２０へ出力させる。そして、制御部２４０ａは、送受信部２２０において当該信号に対して符号化など所定の無線処理を行わせた上で、移動局装置１００へ送信させる。
【００６１】
基地局装置２００ａの送受信部２２０から送信された「記憶成功」又は「ユーザ識別番号の再送」に相当する信号は、移動局装置１００のアンテナ１５０を介して、送受信部１２０によって受信され、復号化など所定の無線処理が行われる。制御部１４０は、受信された信号が「記憶成功」に相当する信号であることを認識すると、ディスプレイやスピーカなどのユーザインタフェース１１０を介して、ユーザに個人情報を正常に記憶できたことを報知する。
【００６２】
また、制御部１４０は、受信された信号が「ユーザ識別番号の再送」に相当する信号であることを認識すると、メモリ１３０から再度個人情報と自己のユーザ識別番号とを読み出し、送受信部１２０から送信させる。以後、移動局装置１００が「記憶成功」に相当する信号を受信するまで、上記の動作を繰り返す。
【００６３】
ユーザが個人情報を呼び出す場合、まず、ユーザはキーなどのユーザインタフェース１１０を用いて「個人情報を送信させる」に相当する操作を行う。そして、制御部１４０は、「個人情報を送信させる」に相当する信号を発生させると共に、あらかじめ記憶されている自己のユーザ識別番号をメモリ１３０から読み出し、送受信部１２０に「個人情報を送信させる」に相当する信号と自己のユーザ識別番号とに対して符号化など所定の無線処理を行わせた上で、基地局装置２００ａへ送信させる。
【００６４】
送信された信号は、基地局装置２００ａのアンテナ２１０を介して、送受信部２２０により受信され、復号化など所定の無線処理が行われる。制御部２４０ａは、送受信部２２０によって信号が受信されたことを認識すると、所定の無線処理後の信号を外部インタフェース２５０に出力させ、外部インタフェース２５０から制御局装置３００へ有線伝送させる。
【００６５】
有線伝送された信号は、制御局装置３００の外部インタフェース３１０によって受信される。制御部３３０は、受信された信号が「個人情報を送信させる」に相当する信号を含むものであることを認識すると、受信された信号からユーザ識別番号を取得し、取得されたユーザ識別番号と同じ番号を持つメモリ領域をメモリ３２０内から検出し、当該メモリ領域から個人情報を読み出す。制御部３３０は、読み出した個人情報を外部インタフェース３１０から基地局装置２００ａへ有線伝送させる。
【００６６】
また、制御部３３０は、取得されたユーザ識別番号と同じ番号を持つメモリ領域をメモリ３２０内から検出できない場合は、「ユーザ識別番号の再送」に相当する信号を発生させ、外部インタフェース３１０から基地局装置２００ａへ有線伝送させる。
【００６７】
制御局装置３００の外部インタフェース３１０から有線伝送された個人情報信号又は「ユーザ識別番号の再送」に相当する信号は、基地局装置２００ａの外部インタフェース２５０によって受信される。制御部２４０ａは、外部インタフェース２５０によって信号が受信されたことを認識すると、当該信号を送受信部２２０へ出力させる。そして、制御部２４０ａは、送受信部２２０において当該信号に対して符号化など所定の無線処理を行わせた上で、移動局装置１００へ送信させる。
【００６８】
基地局装置２００ａの送受信部２２０から送信された信号は、移動局装置１００のアンテナ１５０を介して、送受信部１２０によって受信され、復号化など所定の無線処理が行われる。制御部１４０は、受信された信号が個人情報信号であることを認識すると、メモリ１３０に記憶させ、ディスプレイやスピーカなどのユーザインタフェース１１０を介して、ユーザに個人情報を正常に受信して記憶できたことを報知する。
【００６９】
また、制御部１４０は、受信された信号が「ユーザ識別番号の再送」に相当する信号であることを認識すると、メモリ１３０から自己のユーザ識別番号を読み出し、「個人情報を送信させる」に相当する信号と共に送受信部１２０から送信させる。以後、移動局装置１００が個人情報信号を受信するまで、上記の動作を繰り返す。
【００７０】
このように、本実施の形態の個人情報管理システムによれば、ユーザは自分の携帯端末に記憶されている電話番号及びメールアドレスなどの個人情報を、一時的に基地局に記憶させておくことができるため、携帯端末の買い替えなどに伴う個人情報の移動を確実に、かつ容易に行うことができる。
【００７１】
また、制御局装置に個人情報を記憶させるため、より多数のユーザがサービスを受けることができる。
【００７２】
（実施の形態３）
本発明の実施の形態３における個人情報管理システムについて説明する。実施の形態３の特徴は、移動局装置から送信された個人情報を基地局装置及び制御局装置の双方に記憶させる点である。図３は実施の形態３における個人情報管理システムの構成を示すブロック図である。なお、図３に示す個人情報管理システムにおいて、図１及び図２に示す個人情報管理システムと同じ部分には同じ符号を付して、その説明を省略する。
【００７３】
図３の個人情報管理システムは、移動局装置１００、基地局装置２００ｂ、及び制御局装置３００から構成されている。
【００７４】
基地局装置２００ｂは、移動局装置１００との間でアンテナ２１０を介して通信を行う送受信部２２０と、あらかじめ登録されたユーザのユーザ識別番号と同じ番号を有するメモリ領域を備え、個人情報をユーザ識別番号と対応付けして記憶するメモリ２３０と、送受信部２２０によって送受信される信号を制御局装置３００との間で有線伝送する外部インタフェース２５０と、上記の各部の動作を制御する制御部２４０ｂとから構成されている。
【００７５】
次いで、上記の構成を有する個人情報管理システムについて、ユーザが個人情報を記憶させる場合とユーザが個人情報を呼び出す場合とに分けて、その動作を説明する。
【００７６】
ユーザが個人情報を記憶させる場合、まず、ユーザはキーなどのユーザインタフェース１１０を用いて「個人情報を記憶させる」に相当する操作を行う。そして、制御部１４０は、「個人情報を記憶させる」に相当する信号を発生させると共に、あらかじめ記憶されている個人情報と自己のユーザ識別番号とをメモリ１３０から読み出し、送受信部１２０に「個人情報を記憶させる」に相当する信号と個人情報及び自己のユーザ識別番号とに対して符号化など所定の無線処理を行わせた上で送信させる。
【００７７】
送信された信号は、基地局装置２００ｂのアンテナ２１０を介して、送受信部２２０により受信され、復号化など所定の無線処理が行われる。制御部２４０ｂは、受信された信号が「個人情報を記憶させる」に相当する信号を含むものであることを認識すると、受信された信号から個人情報とユーザ識別番号を取得し、取得されたユーザ識別番号と同じ番号を持つメモリ領域をメモリ２３０内から検出し、当該メモリ領域に個人情報を記憶させる。
【００７８】
また、制御部２４０ｂは、所定の無線処理後の信号を外部インタフェース２５０に出力させ、外部インタフェース２５０から制御局装置３００へ有線伝送させる。
【００７９】
そして、制御部２４０ｂは、個人情報をメモリ２３０に正常に記憶させることができると、「記憶成功」に相当する信号を発生させ、取得されたユーザ識別番号と同じ番号を持つメモリ領域をメモリ２３０内から検出できない場合は、「ユーザ識別番号の再送」に相当する信号を発生させる。
【００８０】
一方、有線伝送された信号は、制御局装置３００の外部インタフェース３１０によって受信される。制御部３３０は、受信された信号が「個人情報を記憶させる」に相当する信号を含むものであることを認識すると、受信された信号から個人情報とユーザ識別番号を取得し、取得されたユーザ識別番号と同じ番号を持つメモリ領域をメモリ３２０内から検出し、当該メモリ領域に個人情報を記憶させる。
【００８１】
制御部３３０は、個人情報をメモリ３２０に正常に記憶させることができると、「記憶成功」に相当する信号を発生させ、外部インタフェース３１０から基地局装置２００ｂへ有線伝送させる。
【００８２】
また、制御部３３０は、取得されたユーザ識別番号と同じ番号を持つメモリ領域をメモリ３２０内から検出できない場合は、「ユーザ識別番号の再送」に相当する信号を発生させ、外部インタフェース３１０から基地局装置２００ｂへ有線伝送させる。
【００８３】
制御局装置３００の外部インタフェース３１０から有線伝送された「記憶成功」又は「ユーザ識別番号の再送」に相当する信号は、基地局装置２００ｂの外部インタフェース２５０によって受信される。制御部２４０ｂは、外部インタフェース２５０によって受信された信号とメモリ２３０に個人情報を記憶させた際に発生させた「記憶成功」又は「ユーザ識別番号の再送」に相当する信号を比較する。
【００８４】
この比較の結果、双方の信号が「記憶成功」に相当するものである場合、制御部２４０ｂは、「記憶成功」に相当する信号を送受信部２２０において符号化など所定の無線処理を行わせた上で、移動局装置１００へ送信させる。
【００８５】
また、制御局装置３００から有線伝送された信号が「ユーザ識別番号の再送」に相当し、制御部２４０ｂが発生させた信号が「記憶成功」に相当するものである場合、制御部２４０ｂは基地局装置２００ｂと制御局装置３００との間の有線伝送に問題が生じたと判断し、メモリ２３０に記憶させた個人情報とユーザ識別番号とを読み出し、外部インタフェース２５０から再度送信させる。以後、基地局装置２００ｂが「記憶成功」に相当する信号を受信するまで、上記の動作を繰り返す。
【００８６】
また、制御部２４０ｂが発生させた信号が「ユーザ識別番号の再送」に相当するものである場合、制御局装置３００から有線伝送された信号の内容に関わらず、制御部２００ｂは移動局装置１００と基地局装置２００ｂとの間の無線通信に問題が生じたと判断し、「ユーザ識別番号の再送」に相当する信号を送受信部２２０において符号化など所定の無線処理を行わせた上で、移動局装置１００へ送信させる。
【００８７】
基地局装置２００ｂの送受信部２２０から送信された「記憶成功」又は「ユーザ識別番号の再送」に相当する信号は、移動局装置１００のアンテナ１５０を介して、送受信部１２０によって受信され、復号化など所定の無線処理が行われる。制御部１４０は、受信された信号が「記憶成功」に相当する信号であることを認識すると、ディスプレイやスピーカなどのユーザインタフェース１１０を介して、ユーザに個人情報を正常に記憶できたことを報知する。
【００８８】
また、制御部１４０は、受信された信号が「ユーザ識別番号の再送」に相当する信号であることを認識すると、メモリ１３０から再度個人情報と自己のユーザ識別番号とを読み出し、送受信部１２０から送信させる。以後、移動局装置１００が「記憶成功」に相当する信号を受信するまで、上記の動作を繰り返す。
【００８９】
ユーザが個人情報を呼び出す場合、まず、ユーザはキーなどのユーザインタフェース１１０を用いて「個人情報を送信させる」に相当する操作を行う。そして、制御部１４０は、「個人情報を送信させる」に相当する信号を発生させると共に、あらかじめ記憶されている自己のユーザ識別番号をメモリ１３０から読み出し、送受信部１２０に「個人情報を送信させる」に相当する信号と自己のユーザ識別番号とに対して符号化など所定の無線処理を行わせた上で、基地局装置２００ｂへ送信させる。
【００９０】
送信された信号は、基地局装置２００ｂのアンテナ２１０を介して、送受信部２２０により受信され、復号化など所定の無線処理が行われる。制御部２４０ｂは、受信された信号が「個人情報を送信させる」に相当する信号を含むものであることを認識すると、受信された信号からユーザ識別番号を取得し、取得されたユーザ識別番号と同じ番号を持つメモリ領域をメモリ２３０内から検出し、当該メモリ領域から個人情報を読み出す。制御部２４０ｂは、読み出した個人情報に対して送受信部２２０において符号化など所定の無線処理を行わせた上で、移動局装置１００へ送信させる。
【００９１】
また、制御部２４０ｂは、取得されたユーザ識別番号と同じ番号を持つメモリ領域をメモリ２３０内から検出できない場合は、送受信部２２０における所定の無線処理後の信号を外部インタフェース２５０に出力させ、外部インタフェース２５０から制御局装置３００へ有線伝送させる。
【００９２】
有線伝送された信号は、制御局装置３００の外部インタフェース３１０によって受信される。制御部３３０は、受信された信号が「個人情報を送信させる」に相当する信号を含むものであることを認識すると、受信された信号からユーザ識別番号を取得し、取得されたユーザ識別番号と同じ番号を持つメモリ領域をメモリ３２０内から検出し、当該メモリ領域から個人情報を読み出す。制御部３３０は、読み出した個人情報を外部インタフェース３１０から基地局装置２００ｂへ有線伝送させる。
【００９３】
また、制御部３３０は、取得されたユーザ識別番号と同じ番号を持つメモリ領域をメモリ３２０内から検出できない場合は、「ユーザ識別番号の再送」に相当する信号を発生させ、外部インタフェース３１０から基地局装置２００ｂへ有線伝送させる。
【００９４】
制御局装置３００の外部インタフェース３１０から有線伝送された個人情報信号又は「ユーザ識別番号の再送」に相当する信号は、基地局装置２００ｂの外部インタフェース２５０によって受信される。制御部２４０ｂは、外部インタフェース２５０によって信号が受信されたことを認識すると、当該信号を送受信部２２０へ出力させる。そして、制御部２４０ｂは、送受信部２２０において当該信号に対して符号化など所定の無線処理を行わせた上で、移動局装置１００へ送信させる。
【００９５】
基地局装置２００ｂの送受信部２２０から送信された個人情報信号又は「ユーザ識別番号の再送」に相当する信号は、移動局装置１００のアンテナ１５０を介して、送受信部１２０によって受信され、復号化など所定の無線処理が行われる。制御部１４０は、受信された信号が個人情報信号であることを認識すると、メモリ１３０に記憶させ、ディスプレイやスピーカなどのユーザインタフェース１１０を介して、ユーザに個人情報を正常に受信して記憶できたことを報知する。
【００９６】
また、制御部１４０は、受信された信号が「ユーザ識別番号の再送」に相当する信号であることを認識すると、メモリ１３０から自己のユーザ識別番号を読み出し、「個人情報を送信させる」に相当する信号と共に送受信部１２０から送信させる。以後、移動局装置１００が個人情報信号を受信するまで、上記の動作を繰り返す。
【００９７】
このように、本実施の形態の個人情報管理システムによれば、ユーザは自分の携帯端末に記憶されている電話番号及びメールアドレスなどの個人情報を、一時的に基地局に記憶させておくことができるため、携帯端末の買い替えなどに伴う個人情報の移動を確実に、かつ容易に行うことができる。
【００９８】
また、基地局装置及び制御局装置に個人情報を記憶させるため、より多数のユーザがサービスを受けることができると共に、個人情報の紛失を起こりにくくすることができる。
【００９９】
【発明の効果】
以上説明したように、本発明によれば、個人情報の保守管理により携帯電話装置の買い替えなどに伴う個人情報を、データの欠落なしに、容易に移動することができる。
【図面の簡単な説明】
【図１】本発明の実施の形態１に係る個人情報管理システムの構成を示すブロック図
【図２】本発明の実施の形態２に係る個人情報管理システムの構成を示すブロック図
【図３】本発明の実施の形態３に係る個人情報管理システムの構成を示すブロック図
【符号の説明】
１００  移動局装置
１１０  ユーザインタフェース
１３０，２３０，３２０  メモリ（記憶手段）
１４０，２４０，２４０ｂ，３３０  制御部（制御手段）
２００，２００ａ，２００ｂ  基地局装置
３００  制御局装置
【図１】
0003704487.tif 000002
【図２】
0003704487.tif 000003
【図３】
0003704487.tif 000004